(57)【特許請求の範囲】
【請求項１】
堅い金属部品（１）にガードル（９）を有する石（５）をセットする方法であって、次の各工程：
・ 金属部品（１）に、石を受けるための孔部（２）を穿孔する工程、
・ 各孔部（２）に石（５）を置く工程、
・ 金属部品の表面に垂直となるように各孔部（２）の周縁の近くに工具（６）を適合させる工程
とを含み、該工具（６）の末端部は、金属のリップ（８）を石のガードル（９）に対して押し戻し、少なくとも１個の光を反射するファセットを含む刻み目（１１）を形成するための尖端（１２）を有しており、２個以上の石（５）に囲まれた金属部品（１）の全表面が刻み目（１１）で刻まれることを特徴とする、金属部品に石をセットする方法。
【請求項２】
前記工具（６）が手動で適用されることを特徴とする請求項１記載の方法。
【請求項３】
前記工具（６）が機械的に適用されることを特徴とする請求項１記載の方法。
【請求項４】
堅い金属部品と、該金属部品の上に置かれるガードルを有する石（５）とを有する宝飾品又は時計等の製品であって、石（５）の周囲に、金属部品（１）の表面に対して刻まれたファセットを有し前記石のガードル（９）を覆うリップを形成する刻み目を有し、２個以上の石（５）に囲まれた金属部品（１）の全表面が刻み目（１１）で刻まれていることを特徴とする製品。
【発明の詳細な説明】
【技術分野】
【０００１】
本出願は、金属部品に石をセットするための方法に関する。
【背景技術】
【０００２】
宝飾品及び時計製造分野において、金属部品に石をセットする方法はよく知られている。
【０００３】
従来の一つの方法では、オペレータは金属部品を変形させるために、金属部品の表面に対して斜めに鏨を適合させる。これが金属を変形させて石の周縁を覆うカラーを作り出し、それが石を金属部品に固定する。
【発明の開示】
【発明が解決しようとする課題】
【０００４】
この方法は概ね満足のいくものであるが、金属の変形によりまくれを生じ、それが宝飾品の滑らかさを低下させるという欠点がある。
【０００５】
この方法の他の欠点は、それが金や銀のような金属、すなわち一定の延性を有する金属に石をセットするときにしか使用できないことである。もしこの方法を金や銀でなくチタンのような堅い金属に適用すると、金属部品の表面に鏨を斜めに作用させても、金属が砕けて切りくずを形成するためカラーを作り出すことができない。
【０００６】
現行のセット方法の他の欠点は、１個の宝飾品又は時計の表面上に多数の石を並べてセットするパヴェセッティングの場合に、石で囲まれた金属上の領域の輝きが鈍く、石の立体感に寄与しないことである。
【０００７】
従って、本発明の目的はチタンのような堅い金属の部品に石をセットする方法を提供することである。
【０００８】
本発明の他の目的は、石のディスプレイを向上させるようなセッティング方法を提供することである。
【課題を解決するための手段】
【０００９】本発明は、ガードルを有する石を堅い金属部品にセットする方法であって、次の工程：・金属部品に石を受けるための孔部を穿孔する工程と、・各孔部に石を配置する工程と、・金属部品の表面に垂直となるように各孔部の周縁の近くに工具を適合させる工程を含み、前記工具の末端部は、金属のリップを石のガードルに対して押し戻し、少なくとも１個の光を反射するファセットを含む刻み目（１１）を形成するための尖端を有し、２個以上の石（５）に囲まれた金属部品（１）の全表面が刻み目（１１）で刻まれる。【００１０】
従って本発明に係る方法は、垂直の動作により金属を変形させてリップを形成することにより、きわめて堅い金属に石のピースをセットすることを可能にする。さらにリップを形成する刻み目は、少なくとも１個のファセットを有し、本発明に係るセッティングに付加的な視覚効果を付与する。
【００１１】
一つの可能な実施例では、この工具は手動で適用される。
【００１２】
他の可能な実施例では、この工具は機械により適用される。
【００１３】
本発明はまた、この方法を実施するための工具において、尖端に収束する少なくとも一つの表面を末端部に有するものに関する。
【００１４】
工具は、次のいくつかの形状をとることができる。
・工具がその末端部に尖端で終わる円錐形の形状を有する場合。
・工具がその末端部に尖端で終わる四面体の形状を有する場合。
・工具がその末端部に尖端に向かって収束するいくつかのファセットを有する場合。
・工具が０．２から０．５ｍｍの半径を有する場合。
【００１５】
本発明はまた、ガードルを有する少なくとも１個の石がその上に配置された金属部分を有する宝飾品又は時計のような製品に関し、該製品が、少なくとも１個の石の周りに、金属部品の表面に対して刻みつけられたファセットを有し、石のガードルを覆うリップを形成する少なくとも１個の刻み目を呈することを特徴とする。
【００１６】
好ましくは、２個以上の石により囲まれた金属部品の全表面が、刻み目により刻まれる。
【発明を実施するための最良の形態】
【００１７】
理解を容易にするため、本発明は非限定的な実施例の形で本発明の方法の可能な実施方法を示す添付図面を参照しつつ以下に記述される。
【００１８】
図１−３は本方法を実施するための異なる工程を示す。
【００１９】
図４は、本方法により製造される製品の平面図である。
【００２０】
図５−８は、本発明の方法を実施するための工具のいくつかの可能な実施例を示す。
【００２１】
図１は、セッティング技術において広く知られた、孔部２を有する金属部品１の断面図である。この孔部２は、金属部品１の表面の近くに、円錐形の台座３及び円筒形部分３を含む。図からわかるように、石がその上に置かれるこの円錐形台座３は金属部品１の表面からきわめて短い距離にあり、その距離は通常０．１から０．２ｍｍである。
【００２２】
図２はセッティングの開始前に孔部２に配置された石５を示す。図２は工具６が金属部品１の表面と垂直な方向に接近しつつある様子を示している。図２において、図示された工具６は尖端１２に終わる円錐形の末端部を有している。
【００２３】
次に図３には、金属部品１の表面に工具が適用された状態が示されている。この工具の適用の間、材料は工具６の尖端から外側に押圧されており、従って金属部品１を構成する材料は孔部に置かれた石５のガードル９を覆うリップ８を形成するように移動させられている。従ってこのリップ８は石５を孔部に固定するのに役立つ。
【００２４】
本方法の次の工程は石５で区切られた金属部品１の表面に工具を使用して新しい刻み目１１を形成することである。
【００２５】
図４は、石と石の間の表面に作成された複数の刻み目１１を示している。この図に示された実施例において、これらの刻み目１１はファセット−本実施例の場合は４個−を有している。石に隣接して配置されたこの刻み目１１は石を所定の位置に保持し、他の刻み目１１は光線を反射する作用を有する。
【００２６】
図５−８はこの工具のいくつかの実施例を示す。これらの実施例は、限定的なものではないが、工具の末端部が尖端１２に終わるという共通の特徴を持っている。この尖端１２は、金属の表面に垂直に適用され、最も堅い金属の表面をも移動させてリップ８を形成する。
【００２７】
図５はピラミッド型の末端部を有する工具を示す。
【００２８】
図６は四面体状の末端部を有する工具を示す。
【００２９】
図７は円錐状の末端部を有する工具を示す。
【００３０】
図８は末端部に４個のファセットを有する工具を示す。
【００３１】
ここに記述される方法は多くの利点を有する。この方法を使用すればチタンのような極めて堅い金属にも石をセットすることができる。その理由は、金属を変形させて石のガードルを覆うリップを生成するときに工具が金属部品に垂直に作用して、石を保持させるからである。
【００３２】
また、この工具の末端部は滑らかな金属表面に刻み目を付与し、この刻み目が石を所定位置に保持すると共に光を反射するという付加的な効果が得られる。
【００３３】
石の間にこの種の刻み目を追加することは、石の間に好ましい輝きを呈する反射領域を加えることになる。従来技術のパヴェセッティングの場合に生じる輝きの鈍い領域は、本発明では除去され、光を反射する領域に置きかえられる。
【００３４】
最後に、この工具の動作はまくれを生じないので、本方法により製造された宝飾品又は時計は傷や引っ掛かりを生じることがない。
【００３５】
本発明に係る方法の他の利点は、それが内向きの表面又は不規則な表面への石のセットに使用できるということである。
【００３６】
最後に、本発明に係る方法でセットされた表面は連続的な外観を有し、まるでセットされた石が縦横に並んでいるように見える。
【００３７】
言うまでもなく本発明は上で説明した実施例に限定されるものではなく、むしろすべての実施例を含む広い概念である。
【００３８】
例えば工具を他の形状とすることも想定される。当然、すべての貴石、半貴石、人造石を本方法によってセットできることは明らかである。
【００３９】
この方法はチタンのような堅い金属に石をセットするのに特に適しているが、他方金、銀又は鋼のような金属に使用することもできると理解される。
【図１】
0004842808.tif 000002
【図２】
0004842808.tif 000003
【図３】
0004842808.tif 000004
【図４】
0004842808.tif 000005
【図５】
0004842808.tif 000006
【図６】
0004842808.tif 000007
【図７】
0004842808.tif 000008
【図８】
0004842808.tif 000009